(57)【要約】【課題】現場で電気設備部材を容易に設置可能な設備パネル及び間仕切りシステムを提供する。【解決手段】設備パネル６は、枠体６０と、枠体６０に支持された電気設備部材８１と、枠体６０の表面に設けられ、電気設備部材８１が配置された位置に貫通孔が形成された表面材と、一端部が電気設備部材８１に接続され、他端部に第一コネクタ８３，８４が設けられた第一配線Ｌ１，Ｌ２と、を備え、第一コネクタ８３，８４は、分電盤から延設された第二配線の端部に設けられた第二コネクタに接続可能に構成されていることを特徴とする。【選択図】図３
2017179908.tif 000002
【特許請求の範囲】
【請求項１】
枠体と、
該枠体に支持された電気設備部材と、
前記枠体の表面に設けられ、前記電気設備部材が配置された位置に貫通孔が形成された表面材と、
一端部が前記電気設備部材に接続され、他端部に第一コネクタが設けられた第一配線と、を備え、
前記第一コネクタは、分電盤から延設された第二配線の端部に設けられた第二コネクタに接続可能に構成されていることを特徴とする設備パネル。
【請求項２】
前記枠体には、前記第一コネクタ及び前記第一配線が配置される第一配線空間部が形成されていることを特徴とする請求項１に記載の設備パネル。
【請求項３】
前記枠体は、
上枠と、
下枠と、
前記上枠と前記下枠とを連結する縦枠と、を有し、
前記縦枠に前記第一配線空間部が形成されていることを特徴とする請求項２に記載の設備パネル。
【請求項４】
請求項１から３のいずれか一項に記載の設備パネルと、
天井面に固定された上レールと、
床面に固定された下レールと、を備え、
前記設備パネルは、上端部が前記上レールに係止されるとともに、下端部が前記下レールに支持されていることを特徴とする間仕切りシステム。
【請求項５】
前記枠体の上部には、前記上レールと嵌合する上部凹部が形成され、
前記枠体の下部には、前記下レールと嵌合する下部凹部が形成されていることを特徴とする請求項４に記載の間仕切りシステム。
【請求項６】
請求項３に記載の設備パネルと、
天井面に固定された上レールと、
床面に固定された下レールと、を備え、
前記設備パネルは、上端部が前記上レールに係止されるとともに、下端部が前記下レールに支持され、
前記下レールには、鉛直方向に貫通し、前記第二配線が配置される配線挿通孔が形成され、
前記下枠と前記下レールとの間には、前記配線挿通孔及び前記第一配線空間部に連通し、前記第二配線が配置される第二配線空間部が形成され、
前記第一コネクタと前記第二コネクタとは、前記第一配線空間部で接続可能に構成されていることを特徴とする間仕切りシステム。
【発明の詳細な説明】
【技術分野】
【０００１】
本発明は、設備パネル及び間仕切りシステムに関するものである。
【背景技術】
【０００２】
従来から、マンション等の集合住宅や戸建住宅等において、照明用のスイッチやコンセント等が間仕切り壁に設けられている。間仕切り壁として、軽量鉄骨等で構成された鋼製下地に、石膏ボード等のボード材が固定され、さらにクロスなどの内装仕上げ材を貼ったものが一般的に知られている。
【０００３】
このような間仕切り壁にスイッチやコンセントが取り付けられる場合には、下記の特許文献１に記載のように、間仕切り壁にスイッチボックスやコンセントボックスが埋め込まれて、間仕切り壁内に配線が配置され、スイッチカバー及びコンセントカバーを間仕切り壁の表面に露出させている。
【先行技術文献】
【特許文献】
【０００４】
【特許文献１】特開平７−２７９４４７号公報
【発明の概要】
【発明が解決しようとする課題】
【０００５】
上記の特許文献１に記載されたスイッチ等の電気設備部材を間仕切り壁に取り付ける際には、施工現場で、軽量鉄骨を組み立てて鋼製下地を設置している段階で、鋼製下地に電気設備部材を取り付ける。そして、ボード材に電気設備部材の形状に対応した開口を形成するとともに、ボード材を鋼製下地に固定する。このため、施工現場で電気設備部材の取り付けにともなう工事に時間を要してしまう。また、電気設備部材の配線工事は専門の作業員が行わなくてはならないため、専門の作業員の確保が難しいと、工期が長期化してしまうという問題点がある。
【０００６】
そこで、本発明は、上記事情に鑑みてなされたものであり、現場で電気設備部材を容易に設置可能な設備パネル及び間仕切りシステムを提供する。
【課題を解決するための手段】
【０００７】
上記目的を達成するために、本発明は以下の手段を採用している。
すなわち、本発明に係る設備パネルは、枠体と、該枠体に支持された電気設備部材と、前記枠体の表面に設けられ、前記電気設備部材が配置された位置に貫通孔が形成された表面材と、一端部が前記電気設備部材に接続され、他端部に第一コネクタが設けられた第一配線と、を備え、前記第一コネクタは、分電盤から延設された第二配線の端部に設けられた第二コネクタに接続可能に構成されていることを特徴とする。
【０００８】
このように構成された設備パネルでは、枠体には電気設備部材が設けられ、枠体の表面には電気設備部材が配置された位置に貫通孔が形成されているため、電気設備部材は設備パネルの表面材側からの操作が可能である。電気設備部材に接続された第一配線の端部に設けられた第一コネクタを、分電盤から延設された第二配線の端部に設けられた第二コネクタに接続することにより、電気設備部材は通電される。よって、予め工場等で設備パネルを製造しておけば、現場において鋼製下地に電気設備部材を設置したり、配線工事をしたりする作業が省略されるため、現場での施工時間を短縮でき、施工性が向上される。また、電気設備部材を通電するためには、第一コネクタと第二コネクタとを接続する簡易な作業でよいため、専門の作業員以外でも容易に作業することができる。
【０００９】
また、本発明に係る設備パネルは、前記枠体には、前記第一コネクタ及び前記第一配線が配置される第一配線空間部が形成されていることが好ましい。
【００１０】
このように構成された設備パネルでは、枠体には第一コネクタ及び第一配線が配置される第一配線空間部が形成されているため、第一コネクタ及び第一配線の露出が抑えられ、外観品質を向上させることができる。
【００１１】
また、本発明に係る設備パネルでは、前記枠体は、上枠と、下枠と、前記上枠と前記下枠とを連結する縦枠と、を有し、前記縦枠に前記第一配線空間部が形成されていてもよい。
【００１２】
このように構成された設備パネルでは、枠体の縦枠に第一配線空間部が形成されているため、電気設備部材に接続された第一配線を縦枠に沿って鉛直方向、つまり床側及び天井側に延設することができる。
【００１３】
また、本発明に係る間仕切りシステムは、上記のいずれか一に記載の設備パネルと、天井面に固定された上レールと、床面に固定された下レールと、を備え、前記設備パネルは、上端部が前記上レールに係止されるとともに、下端部が前記下レールに支持されていてもよい。
【００１４】
このように構成された間仕切りシステムでは、施工現場で、天井面に上レールを固定し、床面に下レールを固定する。予め工場等で設備パネルを製造しておけば、設備パネルを運搬してきて、設備パネルの上端部を上レールに係止させ、下端部を下レールに支持させることで、設備パネルが天井面と床面との間に設置される。よって、施工現場において、軽量鉄骨等で間仕切りの鋼製下地を組み立てる工事が省略され、施工時間が短縮できる。
【００１５】
また、本発明に係る間仕切りシステムは、前記枠体の上部には、前記上レールと嵌合する上部凹部が形成され、前記枠体の下部には、前記下レールと嵌合する下部凹部が形成されていてもよい。
【００１６】
このように構成された間仕切りシステムでは、枠体の上部の上部凹部を上レールに嵌合して、枠体の下部の下部凹部を下レールに嵌合させれば、枠体は上レール及び下レールに取り付けられるため、設備パネルを作業性良く設置することができる。
【００１７】
また、本発明に係る間仕切りシステムは、上記のいずれか一に記載の設備パネルと、天井面に固定された上レールと、床面に固定された下レールと、を備え、前記設備パネルは、上端部が前記上レールに係止されるとともに、下端部が前記下レールに支持され、前記下レールには、鉛直方向に貫通し、前記第二配線が配置される配線挿通孔が形成され、前記下枠と前記下レールとの間には、前記配線挿通孔及び前記第一配線空間部に連通し、前記第二配線が配置される第二配線空間部が形成され、前記第一コネクタと前記第二コネクタとは、前記第一配線空間部で接続可能に構成されていることを特徴とする。
【００１８】
このように構成された間仕切りシステムでは、分電盤から延設された第二配線は、床側から、下レールに形成され鉛直方向に延びる配線挿通孔を通り、下レールと設備パネルの下枠との間に形成された第二配線空間部を通り、第一配線空間部にまで延設される。また、電気設備部材に接続された第一配線は、枠体に形成された第一配線空間部にまで延設されている。よって、第一配線空間部で第一配線の第一コネクタと第二配線の第二コネクタとが接続されるため、第一配線、第一コネクタ、第二配線及び第二コネクタの露出が抑えられ、外観品質を向上させることができる。
【発明の効果】
【００１９】
本発明に係る設備パネル及び間仕切りシステムによれば、現場で電気設備部材を容易に設置することができる。
【図面の簡単な説明】
【００２０】
【図１】本発明の一実施形態に係る間仕切りシステムの一部の正面図である。
【図２】図１のＡ−Ａ断面図である。
【図３】本発明の一実施形態に係る間仕切りシステムの設備パネルの構成を示す（ａ）縦断面図、（ｂ）横断面図である。
【図４】本発明の一実施形態に係る間仕切りシステムの設備パネルと下レールとの構成を示す縦断面図である。
【図５】本発明の一実施形態に係る間仕切りシステムの第二コネクタの斜視図である。
【図６】本発明の一実施形態に係る間仕切りシステムの第一コネクタの斜視図である。
【発明を実施するための形態】
【００２１】
本発明の一実施形態に係る壁システムについて、図面を用いて説明する。
図１は、本発明の一実施形態に係る間仕切りシステムの一部の正面図である。図２は、図１のＡ−Ａ断面図である。
図１及び図２に示すように、壁システム（間仕切りシステム）１００は、例えば、マンションやアパート等の集合住宅に設置され、隣接する居室等の空間Ｐ１，Ｐ２を仕切るものである。なお、壁システム１００は、戸建等の一般の住宅等にも設置可能である。
【００２２】
本実施形態では、図１に示すように、壁システム１００は、壁部Ｗ間に設置され、上レール１と、下レール２と、隣接配置された複数の間仕切りパネル３と、吊元パネル５と、設備パネル６と、ドア７と、を備えている。
【００２３】
図２に示すように、上レール１は、天井面Ｄに固定され、壁部Ｗ（図１参照。）間に連続して配置されている。換言すると、２枚の間仕切りパネル３、吊元パネル５、ドア７及び設備パネル６の上側に連続して配置されている。
【００２４】
上レール１は、天井面Ｄに沿って配置され断面視矩形状に形成された上部取付部１１と、上部取付部１１の下面１１Ｂに設けられ断面視矩形状に形成された上部レール部１２と、を有している。なお、ドア７の上側には、上部レール部１２は設けられていない。
【００２５】
上部取付部１１及び上部レール部１２は、例えば木材や鋼材等で構成されている。上部取付部１１はビス等の固定具１Ｘで天井面Ｄに固定され、上部レール部１２は接着や不図示の固定具により上部取付部１１に固定されている。本実施形態では、上部取付部１１の断面寸法は、例えば幅５０ｍｍ、高さ６０ｍｍとされている。なお、上部取付部１１の下面１１Ｂに凹部（不図示。以下同じ。）が設けられ、断面視矩形状の上部レール部が当該凹部に嵌め込まれて、上部レール部が上部取付部１１の下面１１Ｂから下方に突出するように設けられていてもよい。
【００２６】
下レール２は、２枚の間仕切りパネル３、吊元パネル５及び設備パネル６の下側に配置されている。下レール２は、床面Ｆに沿って配置され断面視矩形状に形成された下部支持部２１と、下部支持部２１の上面２１Ｕに設けられ断面視矩形状に形成された下部レール部２２と、を有している。
【００２７】
下部支持部２１及び下部レール部２２は、例えば木材や鋼材等で構成され、下部レール部２２の上からビス等の固定具２２Ｘで下部支持部２１を貫通して床面Ｆに固定されている。本実施形態では、下部支持部２１の断面寸法は、例えば幅５０ｍｍ、高さ３５ｍｍとされている。なお、下部支持部２１の上面２１Ｕに凹部（不図示。以下同じ。）が設けられ、断面視矩形状の下部レール部が当該凹部に嵌め込まれて、下部レール部が下部支持部２１の上面２１Ｕから上方に突出するように設けられていてもよい。
【００２８】
図１及び図２に示すように、間仕切りパネル３は、板状に形成されている。間仕切りパネル３は、矩形状に形成された四方枠３０と、四方枠３０の内部に設けられた芯材部４１と、四方枠３０の両面に設けられた表面材４２と、を有している。本実施形態では、間仕切りパネル３の寸法は、例えば幅８５０ｍｍ、高さ２４１５ｍｍ、厚さ６０ｍｍとされている。
【００２９】
四方枠３０は、上桟３１と、下桟３４と、上桟３１の端部と下桟３４の端部とを鉛直方向に連結する縦桟３７と、を有している。
【００３０】
上桟３１及び下桟３４は、図２に示す構成と同様である。図２に示すように、上桟３１は、断面視矩形状に形成され、上面３１Ｕには下方に凹む上部凹溝（上部凹部）３２が形成されている。上部凹溝３２は、上桟３１の延在方向に沿って形成されている。
【００３１】
上部凹溝３２には、上レール１の上部レール部１２が嵌め込まれている。上桟３１の上面３１Ｕと上部取付部１１の下面１１Ｂとの間には、隙間３１Ｓが設けられている。
【００３２】
下桟３４は、断面視矩形状に形成され、下面３４Ｂには上方に凹む下部凹溝（下部凹部）３５が形成されている。下部凹溝３５は、下桟３４の延在方向に沿って形成されている。
【００３３】
下部凹溝３５の下面には、滑り材３６が設けられている。滑り材３６は、下桟３４の延在方向に離間して複数設けられている。下部凹溝３５には下レール２の下部レール部２２が嵌め込まれ、滑り材３６が下部レール部２２の上面に当接している。
【００３４】
芯材部４１として、例えば、紙や樹脂の材料でハニカム形状に形成されたハニカムコアを採用することができる。
【００３５】
表面材４２は、化粧が施された板材であり、例えばオレフィンシートが貼られた化粧版を採用することができる。
【００３６】
吊元パネル５及び設備パネル６の説明において、間仕切りパネル３と同様の構成には、同一の符号を付して説明を省略する。
吊元パネル５は、間仕切りパネル３と同様に、板状に形成されている。吊元パネル５は、矩形状に形成された四方枠３０と、四方枠３０の内部に設けられた芯材部４１と、四方枠３０の両面に設けられた表面材４２と、を有している。本実施形態では、吊元パネル５の寸法は、例えば幅２５０ｍｍ、高さ２３９５ｍｍ、厚さ６０ｍｍとされている。
【００３７】
図３は、設備パネル６の構成を示す（ａ）縦断面図、（ｂ）横断面図である。
図１、図２及び図３に示すように、設備パネル６は、板状に形成されている。設備パネル６は、矩形状に形成された四方枠（枠体）６０と、四方枠６０の内部に設けられた芯材部４１と、四方枠６０の両面に設けられた表面材４２と、を有している。本実施形態では、設備パネル６の寸法は、例えば幅２５０ｍｍ、高さ２３９５ｍｍ、厚さ６０ｍｍとされている。
【００３８】
四方枠６０は、上桟（上枠）３１と、下桟（下枠）３４と、上桟３１の端部と下桟３４の端部とを鉛直方向に連結する縦桟（縦枠）６１，６６と、を有している。
【００３９】
縦桟６１は、断面視矩形状に形成された本体部６３と、本体部６３から設備パネル６の幅方向の外側に突出する戸当たり部６４と、を有している。戸当たり部６４は、見込み方向において、ドア７が開く側と反対側に設けられている。本体部６３と戸当たり部６４とは、一体に形成されている。
【００４０】
縦桟６６は、内側桟部６７と、内側桟部６７と隣接して内側桟部６７よりも設備パネル６の幅方向の外側に配置された外側桟部６８と、を有している。
【００４１】
内側桟部６７には、不図示のコンセント支持部及びスイッチ支持部が設けられている。このコンセント支持部及びスイッチ支持部を介して、コンセント（電気設備部材）８１及びスイッチ（電気設備部材）８２は、内側桟部６７に支持されている。
なお、コンセント８１及びスイッチ８２は、外側桟部６８や下桟３４等に支持されていてもよく、四方枠６０に支持されていればよい。
【００４２】
外側桟部６８には、設備パネル６の幅方向の外側から内方に向かって凹む凹溝６９が形成されている。凹溝（第一配線空間部）６９は、外側桟部６８の延在方向に沿って形成されている。
【００４３】
内側桟部６７から外側桟部６８の凹溝６９の底部６９Ａにわたって、設備パネル６の幅方向に向かって延びる挿通孔６７Ｈが形成されている。本実施形態では、挿通孔６７Ｈは、鉛直方向に離間して２箇所に形成されている。
【００４４】
コンセント８１及びスイッチ８２には、それぞれ配線コード（第一配線）Ｌ１，Ｌ２が接続されている。配線コードＬ１，Ｌ２の先端部には、雌コネクタ（第一コネクタ）８３，８４が設けられている。
【００４５】
配線コードＬ１，Ｌ２は、縦桟６６の挿通孔６７Ｈを通り、外側桟部６８の凹溝６９にまで延設されている。凹溝６９内に、雌コネクタ８３，８４が配置されている。
【００４６】
図４は、設備パネル６と下レール２との構成を示す縦断面図である。
図４に示すように、設備パネル６が設置される箇所において、下レール２には、鉛直方向に貫通する配線挿通孔２３が形成されている。配線挿通孔２３は、下レール２が設置される床の貫通孔Ｆ１に連通して形成されている。
【００４７】
下レール２の下部レール部２２は、配線挿通孔２３の一方側（正面視でドア７と反対側）２２Ａでは、下部レール部２２の高さが低く形成されている。これにより、設備パネル６の下部凹溝３５と下部レール部２２Ａとの間には、配線空間部（第二配線空間部）２２Ｓが形成されている。配線空間部２２Ｓは、下レール２の配線挿通孔２３及び縦桟６６の凹溝６９に連通している。
【００４８】
一方、不図示の分電盤に接続された配線コード（第一配線）Ｌ３，Ｌ４は、床の貫通孔Ｆ１、下レール２の配線挿通孔２３、設備パネル６と下レール２との間に形成された配線空間部２２Ｓを順次通り、縦桟６６の凹溝６９にまで延設されている。
【００４９】
図５は、第二コネクタの斜視図である。図６は、第一コネクタの斜視図である。
図４、図５及び図６に示すように、配線コード（第二配線）Ｌ３，Ｌ４の先端部には、雄コネクタ（第二コネクタ）８５，８６が設けられている。凹溝６９内で、配線コードＬ１，Ｌ２に設けられた雌コネクタ８３，８４の先端部は、雄コネクタ８５，８６の挿入開口８５Ｈ，８６Ｈに挿入され、互いに接続されている。
【００５０】
図１に示すように、表面材４２は、化粧が施された板材であり、例えばオレフィンシートが貼られた化粧版を採用することができる。表面材４２には、コンセント８１及びスイッチ８２が配置される位置に貫通孔４３，４４が形成されている。
【００５１】
ドア７は、板状に形成されている。ドア７は、矩形状に形成された不図示の四方枠と、四方枠の両面に設けられた表面材７１と、を有している。ドア７は、不図示の蝶番を介して吊元パネル５に開閉可能に連結されている。
【００５２】
次に、上記の壁システム１００の施工方法について説明する。
まず、上レール１を天井面Ｄに固定具１Ｘで固定する。この際に、間仕切りパネル３、吊元パネル５及び設備パネル６が設置される箇所では、上部取付部１１の下面１１Ｂに上部レール部１２を固定する。
【００５３】
また、間仕切りパネル３、吊元パネル５及び設備パネル６が設置される箇所に、下レール２を床面Ｆに固定具２２Ｘで固定する。
【００５４】
分電盤に接続された配線コードＬ３，Ｌ４を、床の貫通孔Ｆ１から取り出し、下レール２の配線挿通孔２３を通して、雄コネクタ８５，８６が下レール２の上方に位置するようにしておく。
【００５５】
次に、予め工場等で製造しておいた間仕切りパネル３、吊元パネル５及び設備パネル６を用意する。設備パネル６は、コンセント８１及びスイッチ８２が設けられ、配線コードＬ１，Ｌ２が縦桟６６の挿通孔６７Ｈを通り、雌コネクタ８３，８４が縦桟６６の凹溝６９に配置された状態にしておく。
【００５６】
下レール２の端部、つまりドア７が設けられる開口側から間仕切りパネル３、吊元パネル５を、上部凹溝３２及び下部凹溝３５にそれぞれ、上レール１の上部レール部１２及び下レール２の下部レール部２２を嵌め込み、所定の位置する位置までスライドさせる。この際に、間仕切りパネル３の下端部には滑り材３６が設けられているため、スライドさせやすい。
【００５７】
また、同様に、設備パネル６を、ドア７が設けられる開口側からスライドさせる。設備パネル６を所定の位置までスライドさせる途中で、雌コネクタ８３，８４と雄コネクタ８５，８６とを接続する。そして、配線コードＬ３，Ｌ４を、設備パネル６と下レール２との間に形成された配線空間部２２Ｓと通し、縦桟６６の凹溝６９にまで延設させて、雌コネクタ８３，８４及び雄コネクタ８５，８６が凹溝６９内に配置されるようにしつつ、設備パネル６を所定の位置にまでスライドさせる。
なお、間仕切りパネル３、吊元パネル５及び設備パネル６は、不図示の位置決め部材を介して、上レール１及び下レール２に固定されていてもよい。
【００５８】
次に、吊元パネル５に、蝶番を介してドア７を連結させることで、壁システム１００は完成する。
【００５９】
なお、間仕切りパネル３、吊元パネル５及び設備パネル６の上面３１Ｕと上レール１の上部取付部１１の下面１１Ｂとの間の隙間３１Ｓの高さが十分にある場合には、間仕切りパネル３、吊元パネル５及び設備パネル６の上部凹溝３２に上レール１の上部レール部１２を嵌め込む。次に、間仕切りパネル３、吊元パネル５及び設備パネル６を上方に持ち上げた後に、下部凹溝３５に下部レール部２２を嵌め込んで下方に移動させて、間仕切りパネル３、吊元パネル５及び設備パネル６を上レール１に係止及び下レール２に支持させてもよい。
【００６０】
このように構成された壁システム１００では、四方枠６０にはコンセント８１、スイッチ８２が設けられ、表面材４２にはコンセント８１、スイッチ８２が配置された位置に貫通孔４３，４４が形成されているため、コンセント８１、スイッチ８２は設備パネル６の表面材側からの操作が可能である。コンセント８１、スイッチ８２に接続された配線コードＬ１，Ｌ２の端部に設けられた雌コネクタ８３，８４を、分電盤から延設された配線コードＬ３，Ｌ４の端部に設けられた雄コネクタ８５，８６に接続することにより、コンセント８１、スイッチ８２は通電される。よって、予め工場等で設備パネル６を製造しておけば、現場において鋼製下地にコンセント８１、スイッチ８２を設置したり、配線工事をしたりする作業が省略されるため、現場での施工時間を短縮でき、現場での施工性が向上される。また、コンセント８１、スイッチ８２を通電するためには、雌コネクタ８３，８４と雄コネクタ８５，８６とを接続する簡易な作業でよいため、専門の作業員以外でも容易に作業することができる。
【００６１】
また、四方枠６０には雌コネクタ８３，８４及び配線コードＬ１，Ｌ２が配置される凹溝６９が形成されているため、雌コネクタ８３，８４及び配線コードＬ１，Ｌ２の露出が抑えられ、外観品質を向上させることができる。
【００６２】
また、四方枠６０の縦桟６６に配線コードＬ１，Ｌ２が配置される空間部が形成されているため、コンセント８１、スイッチ８２に接続された配線コードＬ１，Ｌ２を縦桟６６に沿って鉛直方向、つまり床側及び天井側に延設することができる。
【００６３】
また、施工現場で、天井面Ｄに上レール１を固定し、床面Ｆに下レール２を固定する。予め工場等で間仕切りパネル３、吊元パネル５及び設備パネル６を製造しておけば、間仕切りパネル３、吊元パネル５及び設備パネル６を運搬してきて、間仕切りパネル３、吊元パネル５及び設備パネル６の上端部を上レール１に係止させ、下端部を下レール２に支持させることで、間仕切りパネル３、吊元パネル５及び設備パネル６が天井面Ｄと床面Ｆとの間に設置される。よって、施工現場において、軽量鉄骨等で間仕切りの鋼製下地を組み立てる工事が省略され施工時間が短縮できるとともに、工場で製造された間仕切りパネル３を使用することで施工精度を確保することができるため、現場での施工性が向上される。
【００６４】
また、上桟３１の上部凹溝３２を上レール１に嵌合して、下桟３４の下部凹溝３５を下レール２に嵌合させれば、四方枠６０は上レール１及び下レール２に取り付けられるため、設備パネル６を作業性良く設置することができる。
【００６５】
また、分電盤から延設された配線コードＬ３，Ｌ４は、床側から、下レール２に形成され鉛直方向に延びる配線挿通孔２３を通り、下レール２と設備パネル６の下部凹溝３５との間に形成された配線空間部２２Ｓを通り、凹溝６９にまで延設される。また、コンセント８１、スイッチ８２に接続された配線コードＬ１，Ｌ２は、四方枠６０に形成された凹溝６９にまで延設されている。よって、凹溝６９で配線コードＬ１，Ｌ２の雌コネクタ８３，８４と配線コードＬ３，Ｌ４の雄コネクタ８５，８６とを接続すれるため、配線コードＬ１，Ｌ２、雌コネクタ８３，８４、配線コードＬ３，Ｌ４及び雄コネクタ８５，８６の露出が抑えられ、外観品質を向上させることができる。
【００６６】
なお、上述した実施の形態において示した組立手順、あるいは各構成部材の諸形状や組み合わせ等は一例であって、本発明の主旨から逸脱しない範囲において設計要求等に基づき種々変更可能である。
【００６７】
例えば、上記に示す実施形態では、第二配線は床側から延設されているが、本発明はこれに限られず、天井側から延設される構成でもよい。この場合には、上レール１に第二配線を挿通させる貫通孔が形成されていることが好ましい。
【符号の説明】
【００６８】
１…上レール
２…下レール
３…間仕切りパネル
５…吊元パネル
６…設備パネル
７…ドア
２２Ｓ…配線空間部（第二配線空間部）
２３…配線挿通孔
３１…上桟（上枠）
３２…上部凹溝（上部凹部）
３４…下桟（下枠）
３５…下部凹溝（下部凹部）
４２…表面材
４３，４４…貫通孔
６０…四方枠（枠体）
６１，６６…縦桟（縦枠）
６９…凹溝（第一配線空間部）
８１…コンセント（電気設備部材）
８２…スイッチ（電気設備部材）
８３，８４…雌コネクタ（第一コネクタ）
８５，８６…雄コネクタ（第二コネクタ）
Ｌ１，Ｌ２…配線コード（第一配線）
Ｌ３，Ｌ４…配線コード（第二配線）
１００…壁システム（間仕切りシステム）
Ｄ…天井面
Ｆ…床面
Ｐ１，Ｐ２…空間
【図１】
2017179908.tif 000003
【図２】
2017179908.tif 000004
【図３】
2017179908.tif 000005
【図４】
2017179908.tif 000006
【図５】
2017179908.tif 000007
【図６】
2017179908.tif 000008